(57)【要約】      （修正有）【課題】可搬空調装置に適用されて、可搬空調装置によって生成される凝縮水の排出を向上させる水封式コネクタを提供すること。【解決手段】水封式コネクタの排水部は、第１の固定ベース２１、第２の固定ベース２２、第１の封止部材２３、軟ベース２４、第３の固定ベース２５、第２の封止部材２６、接続カバー２７、アダプタ部材２８を有する。第２の固定ベースは第１の固定ベースに接続され、第１の固定ベースに連通する第１の入口２２１と第２の固定ベースに形成される第２の接続部２２２とを有する。第１の封止部材は第２の固定ベースにわたって搭載される。軟ベースは第２の接続部と並ぶ。第３の固定ベースは軟ベースに保持される。第２の封止部材は第３の固定ベースにわたって搭載される。接続カバーは軟ベースに搭載される。アダプタ部材は接続カバーに固着され、接続カバーの外に延在する外側接続部２８３を有する。【選択図】図２
0003199150.tif 000002
【実用新案登録請求の範囲】
【請求項１】
第１の固定ベースと、
前記第１の固定ベースに接続される第２の固定ベースであって、
外壁と、
前記第２の固定ベースに配置され、前記第１の固定ベースに連通する第１の入口と、
前記第１の固定ベースから遠位の前記第２の固定ベースの前記外壁に形成される第２の接続部と、
を有する第２の固定ベースと、
前記第２の固定ベースにわたって移動可能に搭載され、前記第１の入口を選択的に封止する第１の封止部材であって、前記第２の固定ベースと前記第１の封止部材とに接する第１のバネを有する第１の封止部材と、
前記第２の接続部と並ぶ軟ベースであって、
外面と、
外壁と、
前記軟ベースの前記外壁に形成され、前記第２の固定ベースの前記第２の接続部の周囲に脱着可能に搭載され、前記第２の固定ベースの前記第２の接続部の外径よりも小さな内径を有する軟接続部と、
前記軟ベースに保持される第３の固定ベースであって、
側壁と、
前記第１の封止部材の遠位の前記第３の固定ベースの前記側壁に形成され、前記第２の接続部の前記軟ベースに連通する第２の入口と、
前記第３の固定ベースにわたって移動可能に搭載され、前記第２の入口を選択的に封止し、前記第３の固定ベースと前記第２の封止部材とに接する第２のバネを有する第２の封止部材と、
前記軟ベースの前記外面の周囲に搭載される接続カバーと、
前記接続カバーに固着されるアダプタ部材であって、前記アダプタ部材に形成され前記接続カバーから外に延在する外側接続部を有するアダプタ部材と、
を備える水封式コネクタにおいて、
前記第２の固定ベースの前記第２の接続部が前記軟ベースの前記軟接続部に固着され、前記第１の封止部材と前記第２の封止部材とが相互に接し、前記第１のバネと前記第２のバネをそれぞれ押圧することによって、前記第２の固定ベースの前記第１の入口と前記第３の固定ベースの前記第２の入口とが水を排出するために相互に連通する水封式コネクタ。
【請求項２】
前記第２の固定ベースの前記第１の入口が、
内面と、
前記第１の入口の前記内面に形成される第１の位置決めスリーブと、
を有し、
前記第１のバネが前記第１の封止部材の周囲に搭載され、前記第１の位置決めスリーブに接し、
前記第３の固定ベースの前記第２の入口が、
内面と、
前記第２の入口の前記内面に形成され、前記軟接続部に連通する第２の位置決めスリーブと、
を有し、
前記第２のバネが前記第２の封止部材の周囲に搭載され、前記第２の位置決めスリーブに接する請求項１に記載の水封式コネクタ。
【請求項３】
前記第１の封止部材が、
前記第１の入口の前記第１の位置決めスリーブに搭載される第１の栓であって、
２つの側面と、
前記第１の栓の前記側面の一方に形成され、前記第１の入口の外側に配置される締付部と、を有する第１の栓と、
前記第１の栓の周囲に固着され、前記第１の入口を選択的に封止する第１の封止ロックと、
を有し、
前記第１のバネが前記第１の栓の周囲に搭載され、前記第１の栓の前記締付部に接し、
前記第２の封止部材が、
前記第２の入口の前記第２の位置決めスリーブに搭載される第２の栓であって、
２つの側面と、
前記第２の栓の前記側面の一方に形成され、前記第２の入口の外側に配置される締付部と、
を有する第２の栓と、
前記第２の栓の周囲に固着され、前記第２の入口を選択的に封止する第２の封止ロックと、
を有し、
前記第２のバネが前記第２の栓の周囲に固着され、前記第２の栓の前記締付部に接する請求項２に記載の水封式コネクタ。
【請求項４】
前記軟ベースが、前記軟ベースにへこみ、前記軟接続部から遠位の内側環状溝を有し、
前記第３の固定ベースが、前記第３の固定ベースの周囲に環状に形成され、前記軟ベースの前記内側環状溝に保持される外側環状フランジを有する請求項１から３のいずれか１項に記載の水封式コネクタ。
【請求項５】
前記接続カバーが前記軟ベースの前記外面に搭載され、
内側環状面と、
前記内側環状面に形成される内ネジと、
を有し、
前記アダプタ部材が、
外側円形面と、
前記アダプタ部材と前記接続カバー間に前記軟ベースを固定するため、前記アダプタ部材の前記外側円形面に形成され、前記接続カバーの前記内ネジと螺合するアダプタ外ネジと、
前記外側円形面に形成され、前記接続カバーに接する環状制限フランジと、
を有する請求項１から４のいずれか１項に記載の水封式コネクタ。
【請求項６】
前記外側接続部が、
内面と、
前記外側接続部の前記内面に形成されるアダプタ内ネジと、
を有する請求項５に記載の水封式コネクタ。
【請求項７】
前記第２の固定ベースが前記第１の入口と並ぶ請求項１から６のいずれか１項に記載の水封式コネクタ。
【請求項８】
前記第１の固定ベースが、
外壁と、
前記第１の固定ベースの前記外壁に形成される第１の接続部と、
を有する請求項１から７のいずれか１項に記載の水封式コネクタ。
【請求項９】
請求項１から８のいずれか１項に記載の水封式コネクタを備えた空調装置であって、
外壁と、
底側と、
前記外壁に前記底側に近接して搭載される排水管と、
を有する空調部と、
外壁と、
前記外壁に形成される係止部と、
を有する貯水部と、
を備え、
前記水封式コネクタが前記空調部の前記排水管と前記貯水部の前記係止部との間に接続され、前記排水管と前記係止部とを連通させる空調装置。
【請求項１０】
前記空調部の前記排水管が水封式コネクタの前記第１の固定ベースに接続され、前記第１の固定ベースに連通し、
前記貯水部の前記係止部が前記水封式コネクタの前記アダプタ部材に搭載され、前記水封式コネクタ前記第３の固定ベースの前記第２の入口に連通する請求項９に記載の空調装置。
【考案の詳細な説明】
【技術分野】
【０００１】
本実用新案は、水封式コネクタおよび水封式コネクタを備えた空調装置、特に可搬空調装置に適用される水封式コネクタに関する。
【背景技術】
【０００２】
従来の空調装置は、エアコン、ヒータ、除湿器などの複数の種類を含む。異なる種類の空調装置は、室内の温度、湿度、空気の清浄度を調節し、屋内環境の空気を再循環させる各種効果を有する。エアコンは室内温度を下げるために冷却空気を提供する。冷却液とコンプレッサを用いて、ヒータは温度を上げるために室内空気を蒸発させ、除湿器は湿度を下げるために室内空気を凝縮させる。上述の従来の空調装置は据置型で、常に室内に設置される。利便性を高めるため可搬空調装置が開発されている。この空調装置は動作工程中に水を凝縮させ、排水のために該装置に排水管が接続される。従来の可搬空調装置は貯水部を搭載する。貯水部は凝縮水を回収し、排水管を有する。貯水部が特定量の凝縮水を回収した後、凝縮水は排水管から浴室または屋外へ排出される。ただし、排水管の水位がドア敷居またはその他の障壁によって変更されるため、凝縮水は完全には排出されず、一部が貯水部に残る。凝縮水を完全に排出するため、可搬空調装置を屋外に移動させて、可搬空調装置の底部の排水穴を開放することによって排水させなければならない。
【０００３】
これらの欠点を克服するため、本実用新案は、上記の課題を緩和または回避する水封式コネクタを提供する。
【考案の概要】
【考案が解決しようとする課題】
【０００４】
本実用新案の主要な目的は、可搬空調装置に適用されて、可搬空調装置によって生成される凝縮水の排出を向上させる水封式コネクタを提供することである。したがって、凝縮水が総容量に達したときも可搬空調装置は動作を停止しない。
【課題を解決するための手段】
【０００５】
水封式コネクタは、第１の固定ベース、第２の固定ベース、第１の封止部材、軟ベース、第３の固定ベース、第２の封止部材、接続カバー、アダプタ部材を備える。
【０００６】
第２の固定ベースは第１の固定ベースに接続され、第１の入口と第２の接続部を有する。第１の入口は第２の固定ベースに配置され、第１の固定ベースに連通する。第２の接続部は、第１の固定ベースの遠位の第２の固定ベースの外壁に形成される。第１の封止部材は、第２の固定ベースにわたって移動可能に搭載され、第１の入口を選択的に封止し、第２の固定ベースと第１の封止部材とに接する第１のバネを有する。軟ベースは第２の接続部と並び、外面、外壁、軟接続部を有する。軟接続部は軟ベースの外壁に形成され、第２の固定ベースの第２の接続部の周囲に脱着可能に搭載される。第３の固定ベースは軟ベースに保持され、第２の入口を有する。第２の入口は第３の固定ベースの側壁に形成され、第１の封止部材の遠位にある。第２の入口は軟ベースと第２の接続部に連通する。第２の封止部材は、第３の固定ベースにわたって移動可能に搭載され、第２の入口を選択的に封止し、第３の固定ベースと第２の封止部材とに接する第２のバネを有する。接続カバーは軟ベースの外面の周囲に搭載される。アダプタ部材は接続カバーに固着され、外側接続部を有する。外側接続部はアダプタ部材に形成され、接続カバーの外側に延在する。
【０００７】
第２の固定ベースの第２の接続部が軟ベースの軟接続部に固着されると、第１の封止部材と第２の封止部材とは相互に接して、第１のバネと第２のバネをそれぞれ押圧することによって、凝縮水を排出するために第２の固定ベースの第１の入口と第３の固定ベースの第２の入口とを連通させる。
【０００８】
本実用新案のその他の利点と革新的な特徴は、添付図面と併せて以下の詳細な説明を読むことによってより自明となるであろう。
【図面の簡単な説明】
【０００９】
【図１】本実用新案に係る水封式コネクタの透視断面図である。
【図２】図１の水封式コネクタの展開透視図である。
【図３】図１の水封式コネクタの第２の固定ベースの部分拡大透視図である。
【図４】図１の水封式コネクタの第３の固定ベースの部分拡大透視図である。
【図５】水封式コネクタから分離された、図１の水封式コネクタの排水部の拡大側断面図である。
【図６】水封式コネクタと組み立てられた、図１の水封式コネクタの排水部の拡大側断面図である。
【図７】貯水部と組み立てられた、図１の水封式コネクタの拡大側断面図である。
【考案を実施するための形態】
【００１０】
図１および２を参照すると、本実用新案に係る水封式コネクタは空調部１０と貯水部３０に接続され、排水部２０を備える。
【００１１】
図１〜４を参照すると、空調部１０は外壁、底側、排水管１１，複数の車輪１２を有する。排水管１１は空調部１０の底側近傍の外壁に搭載される。車輪１２は機動性を得るために空調部１０の底部に搭載される。
【００１２】
排水部２０は空調部１０に接続され、第１の固定ベース２１、第２の固定ベース２２、第１の封止部材２３、軟ベース２４、第３の固定ベース２５、第２の封止部材２６、接続カバー２７、アダプタ部材２８を有する。第１の固定ベース２１は空調部１０に接続され、第１の接続部２１１を有する。第１の接続部２１１は第１の固定ベース２１の外壁に形成され、空調部１０に面する。第１の接続部２１１は排水管１１に連通する。第２の固定ベース２２は第１の固定ベース２１に接続される。好適な実施形態では、第２の固定ベース２２は第１の固定ベース２１に装着される。第２の固定ベース２２は外壁、第１の入口２２１、第２の接続部２２２を有する。第１の入口２２１は第２の固定ベース２２に配置され、第１の固定ベース２１に連通する。第１の入口２２１は内面と内面に形成される第１の位置決めスリーブ２２１１とを有する。第２の接続部２２２は、第１の固定ベース２１から離れた第２の固定ベース２２の外壁に形成される。第２の固定ベース２２は第１の入口２２１と並ぶ。
【００１３】
第１の封止部材２３は第２の固定ベース２２に搭載され、第１の栓２３１、第１のバネ２３２、第１の封止ロック２３３を有する。第１の栓２３１は第１の入口２２１の第１の位置決めスリーブ２２１１に搭載され、２つの側面、締付部２３１１、押込部２３１２を有する。締付部２３１１と押込部２３１２はそれぞれ第１の栓２３１の側面に形成される。締付部２３１１は第１の入口２２１の外部に配置され、押込部２３１２は第２の接続部２２２に配置される。第１のバネ２３２は第１の栓２３１の周囲に搭載され、第１の位置決めスリーブ２２１１と押込部２３１２にそれぞれ接する。第１の封止ロック２３３は第１の栓２３１の周囲に搭載され、締付部２３１１に接触し、第１の封止ロック２３３は第１の入口２２１を封止する。
【００１４】
軟ベース２４は外壁、外面、軟接続部２４１、内側環状溝２４２を有する。軟接続部２４１は軟ベース２４の外壁に形成され、第２の固定ベース２２の第２の接続部２２２の周囲に脱着可能に搭載される。軟接続部２４１の内径は第２の接続部２２２の外径よりも小さい。内側環状溝２４２は軟ベース２４内にへこみ、軟接続部２４１から遠位にある。第３の固定ベース２５は軟ベース２４に接続され、縁面、側壁、外側環状フランジ２５１、第２の入口２５２を有する。外側環状フランジ２５１は第３の固定ベース２５の縁面に形成され、軟ベース２４の内側環状溝２４２に保持される。第２の入口２５２は第１の封止部材２３の遠位の第３の固定ベース２５の側壁に形成される。第２の入口２５２は内面と内面に形成される第２の位置決めスリーブ２５２１とを有する。第２の入口２５２は軟接続部２４１および第２の接続部２２２に連通する。
【００１５】
第２の封止部材２６は軟ベース２４と第３の固定ベース２５に搭載される。第２の封止部材２６は第２の栓２６１、第２のバネ２６２、第２の封止ロック２６３を有する。第２の栓２６１は第２の入口２５２の第２の位置決めスリーブ２５２１に搭載され、２つの側面、締付部２６１１、押込部２６１２を有する。締付部２６１１と押込部２６１２はそれぞれ第２の栓２６１の側面に形成される。締付部２６１１は第２の入口２５２の外側に配置され、押込部２６１２は軟接続部２４１に配置される。第２のバネ２６２は第２の栓２６１の周囲に搭載され、第２の位置決めスリーブ２５２１と押込部２６１２にそれぞれ接する。第２の封止ロック２６３は第２の栓２６１の周囲に搭載され、締付部２６１１に接触し、第２の封止ロック２６３は第２の入口２５２を封止する。接続カバー２７は軟ベース２４の外面の周囲に搭載され、内側環状面、穴２７１、内ネジ２７２を有する。軟接続部２４１は穴２７１に接続カバー２７を通って搭載される。内ネジ２７２は内側環状面に形成される。
【００１６】
アダプタ部材２８は接続カバー２７に固着され、外側円形面、アダプタ外ネジ２８１、環状制限フランジ２８２、外側接続部２８３を有する。アダプタ外ネジ２８１はアダプタ部材２８の外側円形面に形成される。アダプタ外ネジ２８１は軟ベース２４と第３の固定ベース２５を固定するため、接続カバー２７の内ネジ２７２と螺合される。環状制限フランジ２８２は外側円形面にアダプタ外ネジ２８１に近接して形成される。環状制限フランジ２８２は接続カバー２７を覆う。外側接続部２８３はアダプタ部材２８に形成され、接続カバー２７の外へ延在する。外側接続部２８３は内面と内面に形成されるアダプタ内ネジ２８３１とを有する。
【００１７】
図６および７を参照すると、貯水部３０は排水部２０に連通し、外壁と係止部３１を有する。好適な実施形態では、貯水部３０は中空容器または送水管である。係止部３１は貯水部３０の外壁に形成される。係止部３１はアダプタ部材２８に搭載され、第３の固定ベース２５の第２の入口２５２に連通する。係止部３１は、外側接続部２８３のアダプタ内ネジ２８３１と螺合する外ネジ３１１を有する。
【００１８】
図５および６を参照すると、排水部２０は空調部１０の排水管１１と貯水部３０の係止部３１に接続される。排水部２０は通常閉鎖される。空調部１０と貯水部３０が分離しているとき、第１の栓２３１の押込部２３１２が第１のバネ２３２に接し、第１の封止ロック２３３が第２の固定ベース２２の第１の入口２２１を封止する。空調部１０内の凝縮水は排水管１１と第１の入口２２１から漏れない。また、第２の栓２６１の押込部２６１２が第２のバネ２６２に接し、第２の封止ロック２６３が第３の固定ベース２５の第２の入口２５２を封止する。貯水部３０内の凝縮水は係止部３１と第２の入口２５２から漏れない。
【００１９】
空調部１０と貯水部３０を接続するため、第２の固定ベース２２の第２の接続部２２２は軟ベース２４の軟接続部２４１に固着される。第１の封止部材２３の第１の栓２３１の押込部２３１２と第２の封止部材２６の第２の栓２６１の押込部２６１２は相互に接触する。押込部２３１２、２６１２はそれぞれ第１のバネ２３２と第２のバネ２６２を押圧する。第１の栓２３１の締付部２３１１と第２の栓２６１の締付部２６１１は反対方向に移動し、その後、第１の封止ロック２３３と第２の封止ロック２６３がそれぞれ第１の入口２２１と第２の入口２５２から外される。したがって、空調部１０と貯水部３０は凝縮水を排出するために相互に連通する。空調部１０と組み立てられると、排水部２０は空調部１０によって生成される凝縮水を容易に排出することができる。よって、凝縮水が総容量に達したときに空調装置が動作を停止しない。
【００２０】
図６および７を参照すると、本実用新案は、排水部２０のアダプタ部材２８を使用することによって中空容器または送水管に接続される。中空容器は空調部１０によって生成される凝縮水を回収する。中空容器が凝縮水で満たされた後、ユーザは中空容器を取り外して凝縮水を排出することができる。送水管は凝縮水を排水孔またはタンクに排出することができる。中空容器の使用中、排水工程はドアの敷居やその他の障壁に影響を受けないため、凝縮水を完全に排出することができる。水封式コネクタは、様々な容器や送水管に接続することができる。
本実用新案の多数の特性や利点を、実用新案の構造および特徴の詳細と共に上述したが、本開示は単に例示である。特に形状、寸法、配置などに関して、添付の請求項における用語の広範な一般的な意味が示す最大限まで、実用新案の原則の範囲内で細部に変更を加えることができる。
【符号の説明】
【００２１】
１０  空調部
１１  排水管
２０  排水部
２１  第１の固定ベース
２１１  第１の接続部
２２  第２の固定ベース
２２１  第１の入口
２２１１  第１の位置決めスリーブ
２２２  第２の接続部
２３  第１の封止部材
２３１  第１の栓
２３１１  締付部
２３１２  押込部
２３２  第１のバネ
２３３  第１の封止ロック
２４  軟ベース
２４１  軟接続部
２４２  内側環状溝
２５  第３の固定ベース
２５１  外側環状フランジ
２５２  第２の入口
２５２１  第２の位置決めスリーブ
２６  第２の封止部材
２６１  第２の栓
２６１１  締付部
２６１２  押込部
２６２  第２のバネ
２６３  第２の封止ロック
２７  接続カバー
２７１  穴
２７２  内ネジ
２８  アダプタ部材
２８１  アダプタ外ネジ
２８２  環状制限フランジ
２８３  外側接続部
２８３１  アダプタ内ネジ
３０  貯水部
３１  係止部
３１１  外ネジ
【図１】
0003199150.tif 000003
【図２】
0003199150.tif 000004
【図３】
0003199150.tif 000005
【図４】
0003199150.tif 000006
【図５】
0003199150.tif 000007
【図６】
0003199150.tif 000008
【図７】
0003199150.tif 000009